(57)【要約】本発明は、タンク（１１）およびタンクの外側に配置される外部ケーシング（１２）、タンクと外部ケーシングとの間に形成される断熱中間層（１００）、外部ケーシング上に設置される温度表示器（２０）、を含む真空カップ本体（１０）、ならびに断熱中間層（１００）の内側に配置される熱伝達構造（３０）、を含み、温度表示器（２０）は熱伝達構造（３０）を通してタンク（１１）と接触してタンク（１１）の温度を温度表示器（２０）に伝達する、真空カップを提供する。本発明の技術的解決は、既存の真空カップの外部ケーシングはカップ内側の温度を表示することができないという問題を効果的に解決する。
2019530615.tif 000002
【特許請求の範囲】
【請求項１】
真空カップ本体（１０）であって、タンク（１１）および前記タンク（１１）の外側に配置される外部ケーシング（１２）を含み、断熱中間層（１００）が前記タンク（１１）と前記外部ケーシング（１２）との間に形成される、真空カップ本体（１０）、
前記外部ケーシング（１２）上に配置される温度表示器（２０）、
前記断熱中間層（１００）の内側に設定される熱伝達構造（３０）であって、前記熱伝達構造（３０）を通して前記タンク（１１）と接触して、前記タンク（１１）の温度を前記温度表示器（２０）に伝達する、温度表示器（２０）、
を含むことを特徴とする真空カップ。
【請求項２】
前記外部ケーシング（１２）の外壁には、設置セクション（１２１）が設けられ、前記温度表示器（２０）は、前記設置セクション（１２１）の内側に設置されることを特徴とする請求項１に記載の真空カップ。
【請求項３】
前記温度表示器（２０）は、複数の変色材料でできており、前記温度表示器（２０）は、異なる色に基づいて異なる色を表示するように構成され、前記真空カップ本体（１０）には、前記変色材料の模範的な色を含む比較ラベルが設けられることを特徴とする請求項１に記載の真空カップ。
【請求項４】
前記設置セクション（１２１）は、前記外部ケーシング（１２）を形成する前記外壁上の溝であり、前記温度表示器（２０）は、前記溝の内側に設置されることを特徴とする請求項２に記載の真空カップ。
【請求項５】
前記熱伝達構造（３０）の第１の端部は、前記タンク（１１）と接触し、前記熱伝達構造（３０）の第２の端部は、前記溝の底と接触し、および前記熱伝達構造（３０）は、前記断熱中間層（１００）を連絡する上部断熱中間層（１０１）および下部断熱中間層（１０２）に分割することを特徴とする請求項４に記載の真空カップ。
【請求項６】
前記熱伝達構造（３０）は、ケーシング（３１）および前記ケーシング（３１）の内側に配置される熱セクション（３２）を含むことを特徴とする請求項５に記載の真空カップ。
【請求項７】
前記熱伝達構造（３０）の前記第１および／または第２の端部は、前記上部断熱中間層（１０１）および前記下部断熱中間層（１０２）を連絡させるように、鋸歯状であることを特徴とする請求項６に記載の真空カップ。
【請求項８】
前記熱伝達構造（３０）は、環状ケーシングを含み、および前記環状ケーシングの中心は、前記上部断熱サンドイッチ（１０１）および前記下部断熱サンドイッチ（１０２）を連絡させるように、貫通穴を備えて配置され、および前記熱セクション（３２）は、前記環状ケーシングの内側に配列されることを特徴とする請求項６に記載の真空カップ。
【請求項９】
前記温度表示器（２０）は、複数の独立した変色リングであり、前記変色リングは、並んで配置されおよび前記外部ケーシング（１２）上に設置され、前記変色リングの各々は、異なる変色材料でできていることを特徴とする請求項１に記載の真空カップ。
【請求項１０】
前記温度表示器（２０）は、前記外部ケーシング（１２）上に設置されおよび相隔てられた複数の独立した変色リングであり、前記変色リングの各々は、異なる変色材料でできており、および複数の熱伝達構造（３０）は、前記温度表示器（２０）の前記リングと１対１で対応することを特徴とする請求項１に記載の真空カップ。
【発明の詳細な説明】
【技術分野】
【０００１】
本発明は、真空カップの技術分野、特に、一種の真空カップに関する。
【背景技術】
【０００２】
カップは、今や、人々の生活に不可欠な日用品になっている。カップは、大抵、水、コーヒー、茶などを飲むために使用される。カップは、大抵、プラスチック、ガラス、ステンレス鋼および他の材料でできている。人々の生活基準の向上に伴い、人々は、カップへのより高い要求を有し、および使い心地に関心を持っている。使用者は、カップ内の水が所望の温度を有しているかどうかの直接的な知覚を有したいと思っている。
【発明の概要】
【０００３】
本発明の主な目的は、既存の（existing）真空カップの外部ケーシングはカップ内側の温度を表示することができないという問題を効果的に解決することである。
【０００４】
上記目的を成し遂げるために、本発明は、真空カップ本体であって、真空カップ本体はタンクおよびタンクの外側に配置される外部ケーシングを含み、断熱中間層（heat insulation interlayer）はタンクと外部ケーシングとの間に形成される、真空カップ本体、温度表示器であって、外部ケーシング上に設置される温度表示器、ならびに熱伝達構造（heat transfer structure）であって、断熱中間層の内側に配置される熱伝達構造、を含み、温度表示器は、熱伝達構造を通してタンクと接触して、タンクの温度を温度表示器に伝達する、真空カップを提供する。
【０００５】
さらに、外部ケーシングの外壁には、設置セクションが設けられてもよく、温度表示器はその中に設置される。
【０００６】
さらに、温度表示器は、複数の変色材料（color-changing material）でできていてもよく、および異なる色に基づいて異なる色を表示するように構成され、真空カップ本体には、変色材料の模範的な色（exemplary color）を含む比較ラベルが設けられる。
【０００７】
さらに、設置セクションは、外部ケーシングを形成する外壁上の溝であってもよく、および温度表示器は、溝の内側に設置される。
【０００８】
さらに、熱伝達構造の第１の端部はタンクと接触してもよく、熱伝達構造の第２の端部は、溝の底と接触してもよく、熱伝達構造は、断熱中間層を、連絡する上部断熱中間層および下部断熱中間層に分割する。
【０００９】
さらに、熱伝達構造は、ケーシングおよびケーシングの内部に配置される熱セクション（thermal section）を含んでいてもよい。
【００１０】
さらに、熱伝達構造の第１および／または第２の端部は、上部断熱中間層および下部断熱中間層を連絡させるように、鋸歯状（serrated）であってもよい。
【００１１】
さらに、熱伝達構造は、環状ケーシングを含んでいてもよく、および環状ケーシングの中心は、上部断熱サンドイッチおよび下部断熱サンドイッチを連絡させるように、貫通穴を備えて配置され、および熱セクションは、 環状ケーシングの内側に配列される。
【００１２】
さらに、温度表示器は、複数の独立した変色リングであってもよく、および変色リングは、並んで配置されおよび外部ケーシング上に設置されてもよく、変色リングの各々は、異なる変色材料でできている。
【００１３】
さらに、温度表示器は、外部ケーシング上に設置されおよび相隔てられた複数の独立した変色リングでできていてもよく、変色リングの各々は、異なる変色材料でできており、および複数の熱伝達構造は、温度表示器のリングと１対１で対応する。
【００１４】
本発明の技術的解決の適用において、水は、真空カップ内に注がれる。タンクの温度は、接触後に水の温度を即座に調和する。熱伝達構造は、タンクの温度を温度表示器に伝達し、および表示器は、カップ内の水の温度を表示する。本発明は、既存の真空カップの外部ケーシングはカップ内側の温度を表示することができないという問題を効果的に解決する。
【００１５】
本願の一部を形成する記載の添付図面は、本発明のさらなる理解を提供するために使用される。本発明の実施形態およびそれらの記載は、本発明を説明するために使用され、および本発明の不適切な限定を構成するものではない。
【図面の簡単な説明】
【００１６】
【図１】本発明の真空カップの実施形態１の構造的模式図である。
【図２】図１の局所的に拡大された模式図である。
【００１７】
以下の参照番号は、上記図面に含まれる。
【００１８】
１０．真空カップ本体、１１．タンク、１２．外部ケーシング、１２１．設置セクション、２０．温度表示器、３０．熱伝達構造、３１．ケーシング、３２．熱セクション、１００．断熱サンドイッチ、１０１．上部断熱サンドイッチ、１０２．下部断熱サンドイッチ。
【発明を実施するための形態】
【００１９】
本願の実施形態およびそれらの特徴は、抵触することなく（without conflict）互いに結合されてもよいことに留意されたい。本発明は、添付図面および実施形態を参照して以下に詳細に記載される。
【００２０】
以下の詳細な記載は、例示的であり、および本願のさらなる説明を提供することが意図されることに留意されたい。別段の表示がない限り、本明細書において使用される全ての技術および科学用語は、本願の属する技術分野における当業者によって一般的に理解されるのと同一の意味を有する。
【００２１】
記載の容易のために、「上（on）」、「上方（above）」、「o上部表面上（on the upper surface）」および「上部（upper）」のような相対的な空間的用語は、他のデバイスまたは特徴と共に図面に示されるようなデバイスまたは特徴の空間的位置関係を記載するのに使用される。理解されたい。相対的な空間的用語は、図面に記載される配向に加えて、使用または操作におけるデバイスの異なる配向を包含することが意図される。例えば、もし、図面におけるデバイスが反転された（inverted）ならば、そのときは、「他のデバイスまたは構造の上方」または「他のデバイスまたは構造上」として記載されるデバイスは、「他のデバイスまたは構造の下方」または「他のデバイスまたは構造の下」のように位置付けられることとなる。したがって、例示的用語「上方（above）」は、「上方（above）」および「下方（under）」を含む２つの配向を含み得る。デバイスは、また、本明細書において使用される相対的な空間的用語に対応する説明と共に、他の方法を使用すること（９０°回転させることまたは他の配向にすること）によって位置付けられ得る。
【００２２】
本発明に従う実施形態は、次に、添付図面を参照してより詳細に説明される。しかしながら、これらの実施形態は、多くの異なる形態を有し、および本明細書に示す実施形態に限定されるように見なされるべきではない。ことは理解されよう。これらの実施形態は、本発明の徹底的なおよび完全な開示を可能にして、これらの実施形態の概念を当業者に十分に伝えるために、提供される。図面の明確化の目的のために、層の厚さおよび面積（areas）は増大され、ならびに同一のデバイスを示すために、同一の参照番号が使用され、およびしたがって、それらの記載は省略される。
【００２３】
図１に示されるように、実施形態１の真空カップは、真空カップ本体１０、温度表示器２０および熱伝達構造３０を含む。真空カップ本体１０は、タンク１１およびタンク１１の外側に配置される外部ケーシング１２を含み、ならびに断熱中間層１００は、タンク１１と外部ケーシング１２との間に形成される。温度表示器２０は、外部ケーシング１２上に設置される。熱伝達構造３０は、断熱サンドイッチ１００の内側に設定され、および温度表示器２０は、熱伝達構造３０を通してタンク１１と接触して、タンク１１の温度を温度表示器２０に伝達する。
【００２４】
実施形態１の技術的解決の適用において、水は、真空カップ内に注がれる。タンク１１の温度は、接触後に水の温度と即座に調和する。熱伝達構造３０は、タンク１１の温度を温度表示器２０に伝達し、および表示器２０は、カップ内の水の温度を表示する。実施形態の技術的解決は、既存の真空カップの外部ケーシング１２はカップ内側の温度を表示することができないという問題を効果的に解決する。
【００２５】
図１および図２に示されるように、実施形態１の技術的解決において、外部ケーシング１２の外壁は、設置セクション１２１を備えて配置され、温度表示器２０はその中に設置される。外部ケーシング１２の外壁は、設置セクション１２１を有し、これは、一方で、温度表示器２０の容易な設置を可能にし、および他方で、温度表示器２０の健全性およびより長い寿命を確実にする。
【００２６】
図１および図２に示されるように、実施形態１の技術的解決において、温度表示器２０は、複数の変色材料でできており、および異なる色に基づいて異なる色を表示するように構成される。上述の構造は、配置および加工が容易であり、ならびに比較的低い生産コストを有する。具体的には、温度表示器２０の色変化は、必要に応じて調整されてもよく、および温度表示器２０の色変化のための温度は、異なる材料組成を用いること、例えば、４５°または７０°の色変化を可能にする材料組成を使用することによって調整されてもよい。様々な変色材料は、実施形態の真空カップの温度表示器２０によって表示される異なる色は、異なる温度に対応することを保証する。その上、真空カップ本体１０には、使用者が真空カップ内の液体（温水（hot water））の温度を容易に読み取ることができるように、変色材料の模範的な色を含む比較ラベルが設けられる。
【００２７】
図１および図２に示されるように、実施形態１の技術的解決において、設置セクション１２１は、外部ケーシング１２を形成する外壁上の溝であり、および温度表示器２０は、溝の内側に設置される。溝構造は、単純で加工しやすい（easy to process）。具体的には、真空カップの保温性能（heat retaining performance）が保証され得るように、溝の底とタンク１１との間に間隔がある。溝は、アーチ状の移行部であるように設定され、そのような構造は、より心地良い感じおよび美しい外観を提供する。
【００２８】
図１および図２に示されるように、実施形態１の技術的解決において、熱伝達構造３０の第１の端部は、タンク１１と接触し、熱伝達構造３０の第２の端部は、溝の底と接触し、および熱伝達構造３０は、断熱中間層１００を、連絡される上部断熱中間層１０１および下部断熱中間層１０２に分割する。そのような構造は、タンク１１の温度が外部ケーシング１２に急速に伝達され得ることを保証する。例えば、温水が真空カップ内に注がれた後、温水の温度は、タンク１１に即座に伝達され、および次いで、タンク１１の温度は、熱伝達構造３０を通して外部ケーシング１２に即座に伝達され、これは温度表示器２０に温度を伝達し続け、および次いで、温度表示器２０は、それ自身の温度の変化を通して、タンク１１内の温水の温度を表示する。
【００２９】
図１および図２に示されるように、実施形態１の技術的解決において、熱伝達構造３０は、ケーシング３１およびケーシング３１の内側に設定される熱セクション３２を含む。そのような構造は、 高い熱伝達率を一方で保証し、および他方で、タンク１１の熱が外部ケーシング１２に伝達されたときに熱損失がないことをと保証する。具体的には、実施形態の技術的解決において、ケーシング３１は、銅でできており、および熱セクション３２は、ケーシング３１内部に配置される高効率の熱伝導性の液体でできている。
【００３０】
図１および図２に示されるように、実施形態１の技術的解決において、熱伝達構造３０の第１の端部は、上部断熱中間層１０１および下部断熱中間層１０２を連絡させるように、鋸歯状である。鋸歯状構造は、一方で、熱伝達構造３０がタンク１１と接触するようにし、したがって、熱伝達構造３０の熱伝達機能を保証し、および他方で、熱伝達構造３０とタンク１１との間の接触が不連続であることを保証し、したがって、上部断熱中間層１０１と下部断熱中間層１０２との間の連絡を保証する。特に、断熱中間層１００は、真空中間層（vacuum interlayer）である。上部断熱中間層１０１と下部断熱中間層１０２との間の連絡は、真空カップの真空化が一時に完了されることを可能にし、より具体的には、真空化穴は、外部ケーシング１２の底部に位置し、上部断熱中間層１０１と下部断熱中間層１０２との間の連絡は、外部ケーシング１２の真空化のときに、上部断熱中間層１０１の同時真空化を促進する。もちろん、当業者は、熱伝達構造３０の第２の端部を鋸歯状に配置することができること、または熱伝達構造３０の第１および第２の端部を両方、鋸歯状に配置することができることを理解する。
【００３１】
図１および図２に示されるように、実施形態１の技術的解決において、設置セクション１２１は、外部ケーシング１２の底部と壁との間の接合部（junction）に配置される。そのような構造は、温水が中に注がれたときに、真空カップ内の温度の即座検知を可能し、および具体的には、真空カップは、真空カップ内の温水の量が比較的少ないときでさえ、内側の温水の温度を表示することができる。より具体的には、溝は、真空カップの同一の高さにある。もちろん、当業者に知られるように、溝は、高さが変動する連続するループであってもよい。
【００３２】
実施形態２の真空カップは、熱伝達構造３０は、環状ケーシングを含み、および環状ケーシングの中心は、上部断熱中間層１０１および下部断熱中間層１０２を連絡させるように、貫通穴を備えて配置され、および熱セクション３２は、環状ケーシングの内側に配置されるという点で、実施形態１とは異なる。このような方法で、上部断熱中間層１０１および下部断熱中間層１０２は、熱伝達構造３０における熱伝達の間、互いに連絡することができる。
【００３３】
実施形態２の技術的解決の適用において、水は、真空カップ内に注がれる。タンク１１の温度は、接触後に水の温度と即座に調和する。熱伝達構造３０は、タンク１１の温度を温度表示器２０に伝達し、および表示器２０は、カップ内の水の温度を表示する。実施形態の技術的解決は、既存の真空カップの外部ケーシング１２はカップ内側の温度を表示することができないという問題を効果的に解決する。
【００３４】
実施形態２の技術的解決において、外部ケーシング１２の外壁には、設置セクション１２１が設けられ、温度表示器２０はその中に設置される。外部ケーシング１２の外壁は、設置セクション１２１を有し、これは、一方で、温度表示器２０の容易な設置を可能にし、および他方で、温度表示器２０の健全性およびより長い寿命を確実にする。
【００３５】
実施形態２の技術的解決において、温度表示器２０は、複数の変色材料でできており、および異なる色に基づいて異なる色を表示するように構成される。 上述の構造は、配置および加工が容易であり、ならびに比較的低い生産コストを有する。具体的には、温度表示器２０の色変化は、必要に応じて調整されてもよく、および温度表示器２０の色変化のための温度は、異なる材料組成を用いること、例えば、４５°または７０°の色変化を可能にする材料組成を使用することによって調整されてもよい。様々な変色材料は、実施形態の真空カップの温度表示器２０によって表示される異なる色は、異なる色に対応することを保証する。その上、真空カップ本体１０には、使用者が真空カップ内の液体（温水）の温度を容易に読み取ることができるように、変色材料の模範的な色を含む比較ラベルが設けられる。
【００３６】
実施形態２の技術的解決において、設置セクション１２１は、外部ケーシング１２を形成する外壁上の溝であり、および温度表示器２０は、溝の内側に設置される。溝構造は、単純で加工しやすい。具体的には、真空カップの保温性能が保証され得るように、溝の底とタンク１１との間に間隔がある。溝は、アーチ状の移行部であるように設定され、そのような構造は、より心地良い感じおよび美しい外観を提供する。
【００３７】
実施形態２の技術的解決において、熱伝達構造３０の第１の端部は、タンク１１と接触し、熱伝達構造３０の第２の端部は、溝の底と接触し、および熱伝達構造３０は、断熱中間層１００を、連絡される上部断熱中間層１０１および下部断熱中間層１０２に分割する。そのような構造は、タンク１１の温度が外部ケーシング１２に急速に伝達され得ることを保証する。例えば、温水が真空カップ内に注がれた後、温水の温度は、タンク１１に即座に伝達され、および次いで、タンク１１の温度は、熱伝達構造３０を通して外部ケーシング１２に即座に伝達され、外部ケーシング１２は、温度表示器２０に温度を伝達し続け、および次いで、温度表示器２０は、それ自身の温度の変化を通して、タンク１１内の温水の温度を表示する。
【００３８】
実施形態２の技術的解決において、熱伝達構造３０は、ケーシング３１およびケーシング３１の内側に設定される熱セクション３２を含む。そのような構造は、 高い熱伝達率を一方で保証し、および他方で、タンク１１の熱が外部ケーシング１２に伝達されたときに熱損失がないことをと保証する。具体的には、実施形態の技術的解決において、ケーシング３１は、銅でできており、および熱セクション３２は、ケーシング３１内部に配置される高効率の熱伝導性の液体でできている。
【００３９】
実施形態２の技術的解決において、設置セクション１２１は、外部ケーシング１２の底部と壁との間の接合部に配置される。そのような構造は、温水が中に注がれたときに、真空カップ内の温度の即座検知を可能し、および具体的には、真空カップは、真空カップ内の温水の量が比較的少ないときでさえ、内側の温水の温度を表示することができる。より具体的には、溝は、真空カップの同一の高さにある。もちろん、当業者に知られるように、溝は、高さが変動する連続するループであってもよい。
【００４０】
実施形態３の真空カップは、温度表示器２０は、複数の独立した変色リングでできており、および変色リングは、並んで配置されおよび外部ケーシング１２上に設置され、それらの各々は、異なる変色材料でできているという点で、実施形態１とは異なる。これらの変色リングは、真空カップ上の温度表示器２０の温度表示がより信頼できるように、互いに独立している。
【００４１】
実施形態３の技術的解決において、水は、真空カップ内に注がれる。タンク１１の温度は、接触後に水の温度と即座に調和する。熱伝達構造３０は、タンク１１の温度を温度表示器２０に伝達し、および表示器２０は、カップ内の水の温度を表示する。実施形態の技術的解決は、既存の真空カップの外部ケーシング１２はカップ内側の温度を表示することができないという問題を効果的に解決する。
【００４２】
実施形態３の技術的解決において、外部ケーシング１２の外壁には、設置セクション１２１が設けられ、温度表示器２０はその中に設置される。設置セクション１２１を備えて外部ケーシング１２の外壁を設けることは、一方で、温度表示器２０の容易な設置を可能にし、ならびに他方で、温度表示器２０の健全性およびより長い寿命を保証する。
【００４３】
実施形態３の技術的解決において、温度表示器２０は、複数の変色材料でできており、および異なる色に基づいて異なる色を表示するように構成される。上述の構造は、配置および加工が容易であり、ならびに比較的低い生産コストを有する。具体的には、温度表示器２０の色変化は、必要に応じて調整されてもよく、および温度表示器２０の色変化のための温度は、異なる材料組成を用いること、例えば、４５°または７０°の色変化を可能にする材料組成を使用することによって調整されてもよい。様々な変色材料は、実施形態の真空カップの温度表示器２０によって表示される異なる色は、異なる色に対応することを保証する。その上、真空カップ本体１０には、使用者が真空カップ内の液体（温水）の温度を容易に読み取ることができるように、変色材料の模範的な色を含む比較ラベルが設けられる。
【００４４】
実施形態３の技術的解決において、設置セクション１２１は、外部ケーシング１２を形成する外壁上の溝であり、および温度表示器２０は、溝の内側に設置される。溝構造は、単純で加工しやすい。具体的には、真空カップの保温性能が保証され得るように、溝の底とタンク１１との間に間隔がある。溝は、アーチ状の移行部であるように設定され、そのような構造は、より心地良い感じおよび美しい外観を提供する。
【００４５】
実施形態３の技術的解決において、熱伝達構造３０の第１の端部は、タンク１１と接触し、熱伝達構造３０の第２の端部は、溝の底と接触し、および熱伝達構造３０は、断熱中間層１００を、連絡する上部断熱中間層１０１および下部断熱中間層１０２に分割する。そのような構造は、タンク１１の温度が外部ケーシング１２に急速に伝達され得ることを保証する。例えば、温水が真空カップ内に注がれた後、温水の温度は、タンク１１に即座に伝達され、および次いで、タンク１１の温度は、熱伝達構造３０を通して外部ケーシング１２に即座に伝達され、外部ケーシング１２は、温度表示器２０に温度を伝達し続け、および次いで、温度表示器２０は、それ自身の温度の変化を通して、タンク１１内の温水の温度を表示する。
【００４６】
実施形態３の技術的解決において、熱伝達構造３０は、ケーシング３１およびケーシング３１の内側に設定される熱セクション３２を含む。そのような構造は、高い熱伝達率を一方で保証し、および他方では、タンク１１の熱が外部ケーシング１２に伝達されたときに熱損失がないことをと保証する。具体的には、実施形態の技術的解決において、ケーシング３１は、銅でできており、および熱セクション３２は、ケーシング３１内部に配置される高効率の熱伝導性の液体でできている。
【００４７】
実施形態３の技術的解決において、設置セクション１２１は、外部ケーシング１２の底部と壁との間の接合部に配置される。そのような構造は、温水が中に注がれたときに、真空カップ内の温度の即座検知を可能し、および具体的には、真空カップは、真空カップ内の温水の量が比較的少ないときでさえ、内側の温水の温度を表示することができる。より具体的には、溝は、真空カップの同一の高さにある。もちろん、当業者に知られるように、溝は、高さが変動する連続するループであってもよい。
【００４８】
実施形態４の真空カップは、温度表示器２０が外部ケーシング１２上に設置されおよび相隔てられた複数の独立した変色リングであり、それらの各々は異なる変色材料でできており、および複数の熱伝達構造３０は温度表示器２０のリングと１対１で対応する、という点で、実施形態１とは異なる。これらの独立的に配置された変色リングは、真空カップの異なる高さにおける温度を得ることができるように、外部ケーシング１２上の異なる高さにある。各変色リングは、変色リング間の相互干渉を回避するように、間隔をもって配置される。
【００４９】
実施形態４の技術的解決の適用において、水は、真空カップ内に注がれる。タンク１１の温度は、接触後に水の温度と即座に調和する。熱伝達構造３０は、タンク１１の温度を温度表示器２０に伝達し、および表示器２０は、カップ内の水の温度を表示する。実施形態の技術的解決は、既存の真空カップの外部ケーシング１２はカップ内側の温度を表示することができないという問題を効果的に解決する。
【００５０】
実施形態４の技術的解決において、外部ケーシング１２の外壁は、設置セクション１２１を備えて配置され、温度表示器２０はその中に設置される。設置セクション１２１を有する外部ケーシング１２の外壁は、一方で、温度表示器２０の容易な設置を可能にし、および他方で、温度表示器２０の健全性およびより長い寿命を保証する。
【００５１】
実施形態４の技術的解決において、温度表示器２０は、複数の変色材料でできており、および異なる色に基づいて異なる色を表示するように構成される。上述の構造は、配置および加工が容易であり、ならびに低い生産コストを有する。具体的には、温度表示器２０の色変化は、必要に応じて調整されてもよく、および温度表示器２０の色変化のための温度は、異なる材料組成を用いること、例えば、４５°または７０°の色変化を可能にする材料組成を用いることによって調整されてもよい。様々な変色材料は、実施形態の真空カップの温度表示器２０によって表示される異なる色は、異なる色に対応することを保証する。その上、真空カップ本体１０には、使用者が真空カップ内の液体（温水）の温度を容易に読み取ることができるように、変色材料の模範的な色を含む比較ラベルが設けられる。
【００５２】
実施形態４の技術的解決において、設置セクション１２１は、外部ケーシング１２を形成する外壁上の溝であり、および温度表示器２０は、溝の内側に設置される。溝構造は、単純で加工しやすい。具体的には、真空カップの保温性能が保証され得るように、溝の底とタンク１１との間に間隔がある。溝は、アーチ状の移行部であるように設定され、そのような構造は、より心地良い感じおよび美しい外観を提供する。
【００５３】
実施形態４の技術的解決において、熱伝達構造３０の第１の端部は、タンク１１と接触し、熱伝達構造３０の第２の端部は、溝の底と接触し、および熱伝達構造３０は、断熱中間層１００を、連絡される上部断熱中間層１０１および下部断熱中間層１０２に分割する。そのような構造は、タンク１１の温度が外部ケーシング１２に急速に伝達され得ることを保証する。例えば、温水が真空カップ内に注がれた後、温水の温度は、タンク１１に即座に伝達され、および次いで、タンク１１の温度は、熱伝達構造３０を通して外部ケーシング１２に即座に伝達され、外部ケーシング１２は、温度表示器２０に温度を伝達し続け、および次いで、温度表示器２０は、それ自身の温度の変化を通して、タンク１１内の温水の温度を表示する。
【００５４】
実施形態４の技術的解決において、熱伝達構造３０は、ケーシング３１およびケーシング３１の内側に設定される熱セクション３２を含む。そのような構造は、 高い熱伝達率を一方で保証し、および他方では、タンク１１の熱が外部ケーシング１２に伝達されたときに熱損失がないことをと保証する。具体的には、実施形態の技術的解決において、ケーシング３１は、銅でできており、および熱セクション３２は、ケーシング３１内部に配置される高効率の熱伝導性の液体でできている。
【００５５】
実施形態４の技術的解決において、設置セクション１２１は、外部ケーシング１２の底部と壁との間の接合部に配置される。そのような構造は、温水が中に注がれたときに、真空カップ内の温度の即座検知を可能し、および具体的には、真空カップは、真空カップ内の温水の量が比較的少ないときでさえ、内側の温水の温度を表示することができる。より具体的には、溝は、真空カップの同一の高さにある。もちろん、当業者に知られるように、溝は、高さが変動する連続するループであってもよい。
【００５６】
本明細書において使用される用語は、特定の実施形態のみを記載する目的のためのものであり、および本願に従う実施形態を制限することが意図されるものではないことに留意されたい。本明細書において使用されるように、単数形は、文脈が明確にそうでないことを示さない限りは、複数形を含むことが意図され、および用語「含む（comprise）」および／または「含む（include）」が本記載において使用されるとき、特徴、ステップ、操作、デバイス、構成要素および／またはそれらの組み合わせが示されることは理解されよう。
【００５７】
本発明の詳細な説明および特許請求の範囲ならびに上記添付図面における用語「第１の（first）」、「第２の（second）」および同様のものは、同様の物を識別するためのものであり、ならびに必ずしも特定の順序または順番を記載するものではないことに留意されたい。そのように使用されるデータは、適切な場合には、本明細書に記載される本発明の実施形態が実施され得るように、例えば、本明細書に示されまたは記載されたもの以外の順で、置き換え可能であることは理解されよう。加えて、用語「含む（include）」および「含む（comprise）」ならびにそれらの他の変形は、非排他的な包含を含む（cover）ことが意図され、例えば、一連のステップまたはユニットを含むプロセス、方法、システム、製品またはデバイスは、必ずしも本明細書において列挙されるこれらのステップまたはユニットに限定されず、しかし、明確に列挙されないまたは本プロセス、方法、システム、製品またはデバイスに固有の他のステップまたはユニットを含み得る。
【００５８】
上記のものは、単に、本発明の好ましい実施形態であり、および本発明を限定することを意図するものではない。本発明は、当業者によって変更されおよび変化させられ得る。本発明の精神および原理内の任意の修正物、等価物、改善物および同様のものは、本発明の保護の範囲内に含まれることが意図される。
【図１】
2019530615.tif 000003
【図２】
2019530615.tif 000004
【国際調査報告】
2019530615.tif 000005
2019530615.tif 000006